(57)【要約】【課題】吸気ポートとサージタンクにそれぞれ備えられたインジェクタからの噴射燃料の微粒化を促進して、低燃費化及び燃焼促進による有害排ガス低減を達成できる燃料噴射システムを提供することを目的とする。【解決手段】吸気ポート１９と、サージタンク１５と、吸気ポート内に燃料を噴射する吸気ポートインジェクタ２３と、サージタンク内に燃料を噴射するサージタンクインジェクタ２９と、を備え、吸気ポート１９は、２つの吸気ポート１９ａ、１９ｂからなり、一方の吸気ポート１９ａに吸気ポートインジェクタ２３と該吸気ポート１９ａを開閉する閉塞弁３９ａが設けられ、閉塞弁３９ａの開閉及び吸気ポートインジェクタ２３とサージタンクインジェクタ２９との燃料噴射分担割合を制御する制御装置６１を備えたことを特徴とする。【選択図】図１
2015102026.tif 000002
【特許請求の範囲】
【請求項１】
エンジンの燃焼室内へ吸気を導入する吸気ポートと、
前記吸気ポートの上流側に設けられたサージタンクと、
前記吸気ポート内に燃料を噴射する吸気ポートインジェクタと、
前記サージタンク内に燃料を噴射するサージタンクインジェクタと、を備え、
前記吸気ポートは、２つの吸気ポートからなり、一方の吸気ポートに前記吸気ポートインジェクタと該吸気ポートを開閉する閉塞弁が設けられ、
前記閉塞弁の開閉及び前記吸気ポートインジェクタと前記サージタンクインジェクタとの燃料噴射分担割合を制御する制御装置を備えたことを特徴とするエンジンの燃料噴射システム。
【請求項２】
前記エンジンのエンジン負荷を検出するエンジン負荷検出手段と、
前記エンジンの冷却水の温度を検出する冷却水温検出手段と、を備え、
前記閉塞弁は、前記他方の吸気ポートにも設けられ、
前記制御装置は、低負荷時もしくは始動時に、片側の閉塞弁だけを閉じることを特徴とする請求項１に記載のエンジンの燃料噴射システム。
【請求項３】
前記閉塞弁は、冷却水温度が所定値以下の冷態状態における前記エンジンの始動時には前記一方の吸気ポートの閉塞弁を閉じ、冷却水温度が所定値を超える温態状態における前記エンジン始動時には前記他方吸気ポートの閉塞弁を閉じることを特徴とする請求項２記載のエンジンの燃料噴射システム。
【請求項４】
前記制御装置は、
前記吸気ポートインジェクタに噴射割合を冷却水温が高いほど増大させるとともに、エンジン負荷が高いほど増大することを特徴とする請求項１から３の何れか一項に記載のエンジンの燃料噴射システム。
【発明の詳細な説明】
【技術分野】
【０００１】
本発明は、エンジンの各燃焼室へ燃料を供給する燃料噴射システムに関し、特に、吸気ポートとサージタンクにそれぞれインジェクタが備えられる燃料噴射システムに関する。
【背景技術】
【０００２】
低燃費化に向けた燃焼促進及び有害排ガス低減のために、１シリンダ当たり２本の燃料噴射弁（インジェクタ）が装着された燃料噴射システムが知られているが、高コストとなるとともに燃料噴射装置の取り付け部の構造複雑化を伴うため、簡便な構成でコスト増加を伴わずに燃焼促進のための噴霧微粒化が可能な燃料噴射システムについて望まれている。
【０００３】
例えば、特許文献１（特開２０１２−８７６４１号公報）には、吸燃料噴射装置について開示され、吸入空気量を調整するスロットルボディ部と、吸気ポート部に設けられる第１インジェクタと、スロットルボディ部もしくはサージタンクに設けられる第２インジェクタと、吸入空気量から負荷を求める負荷検出部と、第１、第２インジェクタの燃料噴射の分担割合を決定する分担割合決定部とを有する燃料噴射装置が示されている。
【０００４】
また、特許文献２（実開昭６３−１０４６８０号公報）には、サージタンクと、複数の吸気ポートと、いずれかの吸気ポートに設けられた燃料噴射弁と、燃料噴射弁が設けられていない他の吸気ポートを開閉する吸気制御弁を備えた複吸気弁エンジンについて開示されている。
【先行技術文献】
【特許文献】
【０００５】
【特許文献１】特開２０１２−８７６４１号公報
【特許文献２】実開昭６３−１０４６８０号公報
【発明の概要】
【発明が解決しようとする課題】
【０００６】
特許文献１には、吸気ポート部に設けられる第１インジェクタと、サージタンクに設けられる第２インジェクタと、を備えた燃料噴射システムが示されているが、吸気ポート部を複数吸気ポートよって構成し、さらに複数吸気ポートを閉塞する閉塞弁を設けて、吸気流速を高めて吸気ポート噴射燃料に対して、霧化や気化を促進することまでは開示されていない。
【０００７】
また、特許文献２には、サージタンクと１気筒当たりの燃焼室とを連結する吸気ポート部を、複数の吸気ポートによって形成して、何れか一つの吸気ポートに燃料噴射弁が設けられる構成が開示されている。しかし、サージタンクに噴射するインジェクタまでの開示はされていない。
従って、吸気ポートインジェクタだけによって、低負荷運転から高負荷運転までの燃料量を噴射できるようにすると、一つのインジェクタによって高負荷域の燃料量まで噴射する必要があるためインジェクタが大型化する問題や、微粒化させようとすると噴射孔が小さくなり必要な燃料量の確保が困難となり、微粒化促進による燃焼改善効果が得られ難い問題を有している。
【０００８】
そこで、本発明は、前述の課題に鑑みてなされたものであり、吸気ポートとサージタンクにそれぞれインジェクタを備えた燃料噴射システムにおいて、それぞれのインジェクタからの噴射燃料の微粒化を促進して、低燃費化及び燃焼促進による有害排ガス低減を達成できる燃料噴射システムを提供することを目的とする。
【課題を解決するための手段】
【０００９】
本発明は、かかる目的を達成するもので、エンジンの燃焼室内へ吸気を導入する吸気ポートと、該吸気ポートの上流側に設けられたサージタンクと、前記吸気ポート内に燃料を噴射する吸気ポートインジェクタと、前記サージタンク内に燃料を噴射するサージタンクインジェクタと、を備え、前記吸気ポートは、２つの吸気ポートからなり、一方の吸気ポートに前記吸気ポートインジェクタと該吸気ポートを開閉する閉塞弁が設けられ、前記閉塞弁の開閉及び前記吸気ポートインジェクタと前記サージタンクインジェクタとの燃料噴射分担割合を制御する制御装置を備えたことを特徴とする。
【００１０】
本発明によれば、２つの吸気ポートの内、少なくとも吸気ポートインジェクタが設けられた側の吸気ポートに、該吸気ポートを開閉する閉塞弁を設置して、該閉塞弁の開閉を制御するとともに、前記吸気ポートインジェクタとサージタンクインジェクタとの燃料噴射分担割合をも制御することを特徴とする。
従って、サージタンクインジェクタからサージタンク内に噴射される燃料は、サージタンク内での霧化および、サージタンクから燃焼室内に導入される区間が吸気ポートインジェクタから燃焼室までの距離より長いため、気化が促進されて、安定燃焼に寄与する。
【００１１】
また、閉塞弁によって片側の吸気ポートを閉塞することによって、吸気流速を増大できる。この結果、ポート内の気化性を向上すること及び筒内での混合を促進することで点火プラグの点火栓周囲の空燃比を安定化でき、安定燃焼による低燃費化及び有害排ガス低減化を達成できる。
【００１２】
また、吸気ポートインジェクタとサージタンクインジェクタとによって燃料噴射を行うため、１つの吸気ポートインジェクタで噴射するシステムに対して、それぞれインジェクタの噴射燃料量の分担負荷である噴射燃料量を小さくできる。よって、それぞれのインジェクタの噴孔を小さくして噴霧の微粒化促進を図るシステムとすることができる。
【００１３】
また、いくつかの実施形態では、前記エンジンのエンジン負荷を検出するエンジン負荷検出手段と、前記エンジンの冷却水の温度を検出する冷却水温検出手段と、を備え、前記閉塞弁は、前記２つの吸気ポートのそれぞれに設けられ、前記制御装置は前記エンジンの低負荷運転時もしくは始動時に、片側の閉塞弁だけを閉じることを特徴とする。
【００１４】
このような構成によると、閉塞弁によって片側の吸気ポートを閉塞することによって、吸気流速を増大し、ポート内の気化性を向上することで点火プラグの点火栓周囲の空燃比を安定化できるため、低負荷時や始動時の安定燃焼を達成できる。
【００１５】
また、いくつかの実施形態では、前記閉塞弁は、冷却水温度が所定値以下の冷態状態における前記エンジンの始動時には前記吸気ポートインジェクタが設けられた一方の吸気ポートの閉塞弁を閉じ、冷却水温度が所定値を超える温態状態における前記エンジンの始動時には前記吸気ポートインジェクタが設けられた吸気ポートとは反対側の吸気ポートの閉塞弁を閉じることを特徴とする。
【００１６】
このような構成によると、冷態始動時には前記吸気ポートインジェクタが設けられた一方の吸気ポートの閉塞弁を閉じることで、クランキング前に今までに吸気ポートインジェクタによって噴射されて吸気ポート壁面等に付着していた燃料が、燃焼室内に投入されることで始動性が悪化することを防止できる。なお、冷態始動時は吸気ポートインジェクタからではなく、吸気ポートインジェクタに比べて助走区間（気化区間）の長いサージタンクインジェクタから燃料噴射とすることで、燃料を充分に微粒化し始動性および燃焼性が良好に得られる。
【００１７】
また、温態時の再始動に際しては、吸気ポート壁面に付着している燃料は蒸発によって少なくなっているため、前記冷態始動時のような、壁面付着の燃料を考慮するよりも、燃料の気化を促進する意味で、空気と燃料との混合を促進するために、吸気ポートインジェクタが設けられていない側の閉塞弁を閉じて、吸気ポートインジェクタが設けられている側の吸気流速を高めるようにすることで、気化を促進して、再始動性を高めることができる。
【００１８】
また、いくつかの実施形態では、前記制御装置は、吸気ポートインジェクタの噴射割合を冷却水温が高くなるほど増大させるとともに、エンジン負荷が高くなるほど増大させることを特徴とする。
【００１９】
このような構成によると、吸気ポートインジェクタとサージタンクインジェクタとの燃料噴射分担割合を、エンジン負荷だけではなく、冷却水温センサから信号に基づいて制御するので、運転状態に応じたきめ細かい制御ができ、低燃費化及び有害排ガス低減化を達成できる。
【発明の効果】
【００２０】
本発明によれば、吸気ポートとサージタンクにそれぞれインジェクタを備えた燃料噴射システムにおいて、それぞれのインジェクタからの噴射燃料の微粒化を促進して、低燃費化及び燃焼促進による有害排ガス低減を達成できる。
【図面の簡単な説明】
【００２１】
【図１】本発明の燃料噴射システムの全体構成図である。
【図２】燃料噴射システムの吸気ポートおよびサージタンク周りの要部を示す説明図である。
【図３】制御装置の構成を示す構成説明図である。
【図４】制御装置の第１実施形態を示す制御フローチャートである。
【図５】制御装置の第２実施形態を示す制御フローチャートである。
【発明を実施するための形態】
【００２２】
以下、本発明に係る実施形態について図面を用いて詳細に説明する。なお、以下の実施形態に記載されている構成部品の寸法、材質、形状、その相対配置などは特に特定的な記載がない限り、この発明の範囲をそれのみに限定する趣旨ではなく、単なる説明例にすぎない。
【００２３】
（第１実施形態）
図１は、本発明の燃料噴射システム１の全体構成図を示す。車両用のガソリン多気筒エンジンへの適用を示している。
エンジン３は、吸気通路５の上流端部には、エアクリーナ７が設けられて、該エアクリーナ７を通って外気が導入されるようになっている。吸気通路５には、吸気上流側から吸気温度を検出する吸気温度センサ９、吸気流量を検出するエアーフローメータ（吸気量計）１１、吸入空気量を調整するスロットルバルブ１３が配置されている。
【００２４】
スロットルバルブ１３の下流側には、サージタンク１５が設けられている。このサージタンク１５は、吸気を一時的に溜めておく容積部であり、空気密度を増して吸入効率を向上する働きをし、また、各気筒への空気の分配を均等化し、また、吸気干渉を防ぐものである。
【００２５】
サージタンク１５の下流側には吸気マニホールド通路１７が連結し、該吸気マニホールド通路１７の下流側には吸気ポート１９が接続されている。サージタンク１５の概略を図２に示し、複数気筒の吸気ポート１９が連通するようにシリンダブロック２１の長手方向に沿って配置され、本発明では３気筒分の長さを有して形成されている。直列３気筒エンジンまたはＶ型６気筒の片バンク側を示している。
【００２６】
また、各気筒に対して吸気ポート１９は、第１吸気ポート（吸気ポートインジェクタ２３が設けられる側）１９ａと第２吸気ポート（吸気ポートインジェクタ２３が設けられない側）１９ｂとの２つに分離してそれぞれ独立して形成されている。それぞれの吸気ポート１９ａ、１９ｂは、吸気２弁の吸気弁２５を介して燃焼室２７内に吸気を導入するようになっている。
【００２７】
そして、前記サージタンク１５は、略直方体の容器形状を成しており、該直方体の上面部の角部に、サージタンク１５の内部に向かって燃料を噴射するように取り付けられたサージタンクインジェクタ（以下ＳＰＩという）２９が設けられている。上面部の角部からサージタンク１５内に噴射するため、タンク内での空気との混合空間が確保されると共に、サージタンク１５の壁面に衝突して壁面に燃料が付着することも抑えられて、霧化の促進が得られる。
また、第１吸気ポート１９ａには、吸気弁２５に向かうと共に燃焼室２７内に向って燃料を噴射するように取り付けられた吸気ポートインジェクタ（以下ＭＰＩという）２３が設けられている。
【００２８】
これらＳＰＩ２９、及びＭＰＩ２３への燃料供給は、燃料タンク３１からの燃料を燃料ポンプ３３で所定の圧力まで加圧し、ＳＰＩ２９へは、燃料通路３５を通って供給し、ＭＰＩ２３へは、燃料通路３７を通って供給するようになっている。
【００２９】
従って、ＳＰＩ２９、及びＭＰＩ２３へはそれぞれ燃料通路３５、３７を別々に分けているため、互いのインジェクタの作動によって発生する脈動の影響が低減されて、影響され難くなっている。
また、燃料ポンプ３３による燃料の加圧圧力は、ＳＰＩ備えていない、従来のＭＰＩだけを備えたシステムに比べて、本願発明においては高燃圧化による微粒化と流量確保のために、従来に比べて高く設定されており、例えば最大７００ＫＰａ程度まで高められている。
【００３０】
第１吸気ポート１９ａと、第２吸気ポート１９ｂとのそれぞれには、ポート通路を開閉する第１ポート（ＭＰＩ側）閉塞弁３９ａと、第２ポート（ＳＰＩ側）閉塞弁３９ｂとが設けられている。図１に示すように第１ポート閉塞弁３９ａは、吸気ポートインジェクタ２３が配置される位置より上流側に設けられている。
【００３１】
また、図１に示すように、エンジン３は、シリンダ４１内を摺動するピストン４３、ピストン４３の上面とシリンダヘッド４５との間に形成される燃焼室２７、吸気弁２５、排気弁４７、さらに、シリンダブロック内に形成された冷却水室４９を有し、燃焼室２７の中央部には点火プラグ５１が設けられている。さらに、吸気弁２５及び排気弁４７を駆動する図示しない吸排気弁駆動機構が設けられている。
【００３２】
また、冷却水温度を検出する冷却水温度センサ５３、および排ガス中の酸素濃度よりＡ／Ｆ（空燃比）を検出する空燃比センサ５５が排気通路５７に設けられている。
【００３３】
以上のように構成された燃料噴射システム１の燃料噴射を制御する制御装置（ＥＣＵ）６１について説明する。
図１、３に示すように、制御装置６１には、スロットルバルブ１３の開度信号、クランク角センサ６２の信号等から求められるエンジン回転数信号、吸気温度センサ９からの吸気温信号、エアーフローメータ１１からの吸気流量信号、空燃比センサ５５からの空燃比信号、冷却水温度センサ５３からの冷却水温信号、エンジンが始動されたか判定するための信号として、エンジンのスタータの回転数や、スタータスイッチのエンジンスタート位置信号等が、それぞれ入力されている。ここで、エンジン負荷はスロットルバルブ１３の開度信号、エアーフローメータ１１の吸気流量信号あるいは吸気温度センサ９からの吸気温信号等を考慮して求められる。
【００３４】
また、制御装置６１は、主に、ポート通路を開閉する第１ポート閉塞弁３９ａと、第２ポート閉塞弁３９ｂとの開閉制御を行うポート閉鎖弁制御部６３と、吸気ポートインジェクタ２３とサージタンクインジェクタ２９との負担割合を制御するインジェクタ負担割合制御部６５と、運転状態に応じた、すなわち、エンジン回転数とエンジン負荷に応じた噴射燃料量の算出及び噴射タイミングの制御を行う燃料噴射制御部６７と、空燃比センサ５５からの信号に基づいて、気筒間の空燃比のバラツキを判定する空燃比バラツキ判定部６９とを有している。
【００３５】
さらに、制御装置６１には、エンジン始動信号から始動を判定するエンジン始動判定部７１と、エンジン回転数、エンジン負荷、冷却水温度等から、エンジンの運転状態が、冷態時か温態時か、低負荷か中高負荷か等を判定するエンジン状態判定部７３とを有している。
【００３６】
そして、制御装置６１は、第１ポート閉塞弁（Ｖ１）３９ａと第２ポート閉塞弁（Ｖ２）３９ｂとの開閉制御と、吸気ポートインジェクタ２３とサージタンクインジェクタ２９との負担割合を制御する。
【００３７】
なお、前記燃料噴射制御部６７では、運転状態に応じた噴射燃料量の算出として、エアーフローメータ１１からの信号と、吸気温度センサ９からの信号とを基に、燃焼室２７に流入される空気量を算出して、その吸気流量に応じて噴射燃料量を算出してもよい。さらに、エアーフローメータ１１からの信号に代えて、スロットルバルブ１３の下流側の吸気圧力を検出して、該圧力を基に算出してもよい。
【００３８】
次に、制御装置６１による燃料噴射制御について図４のフローチャートを参照して説明する。
まず、ステップＳ１で、エンジン始動時か否かを判定する。前述のように、エンジンのスタータの回転数や、スタータスイッチのエンジンスタート位置信号等を基にエンジンの始動時か否かが判定される。
始動時ではないと判定された場合は、ステップＳ２で、暖機完了水温に達しているか否かが判定される。具体的には、エンジン出口の冷却水温度が約８０℃に達している場合には、暖機が完了したと判定する。
暖機が完了していない場合には、ステップＳ３に進んで、エンジン負荷を判定する。また、暖機が完了したと判定した場合には、ステップＳ６に進んで、エンジン負荷を判定する。
【００３９】
（冷態時）
暖機が完了していない場合には、ステップＳ３で低負荷かどうかを判定して、低負荷状態であると判定した場合には、ステップＳ５に進んでＳＰＩ２９による燃料噴射を実施する。
冷態時には、ＭＰＩ２３からの燃料は、気化しきれていない（微粒化していない）状態で燃焼室２７内に導入するため、このようなＭＰＩ２３からの燃料の燃焼室２７内への導入を制限し、ＳＰＩ２９の噴射量を増加する。このとき、ＭＰＩ２３からの燃料の導入を禁止して、ＳＰＩ２９だけにすることが好ましい。これにより、サージタンク１５内に噴射される燃料は、サージタンク１５内での霧化および、サージタンク１５から燃焼室２７内に導入される区間がＭＰＩ２３から燃焼室２７までの距離より長いため、気化が促進されて、燃焼が良好に得られる。
なお、冷態時かつ図示しないアクセルがオフ状態の際は、触媒昇温要求があるとして、ＭＰＩ２３の噴射禁止を解除して、ＭＰＩ噴射を実施するようにしてもよい。このとき、ＭＰＩ噴射はバルブオーバーラップ中に行われることが望ましい。これにより、未燃燃料が排気と共に排気管内に導入され、排気の熱によって自着火した未燃燃料が排気管内の触媒近傍で燃焼することによって、触媒が早期に昇温する。
【００４０】
ＳＰＩ２９だけでは、中高負荷の要求噴射量に対応できないため、ＭＰＩ２３を併用している。
但し、ステップＳ１２では、冷却水温が閾値、例えば６０℃（エンジン出口温度）を超えるまでは、エンジン保護のためエンジンの出力を制限し、全体の燃料噴射量を制限する。このとき、ＭＰＩ２３の負担割合を優先的に制限することが好ましい。
これにより、助走区間（気化区間）の短いＭＰＩ２３の噴射量を制限しつつ、噴射燃料の助走区間（気化区間）を長く取れるサージタンクインジェクタからの噴射を中心とすることで、燃焼性への影響を抑えつつエンジンの保護を図ることが出来る。
【００４１】
更に、この時ＭＰＩ２３による燃料噴射は、シリンダ直入形態とすることが望ましい。具体的には、図示しない吸気バルブが開き動作方向に変位している際に、ＭＰＩ２３による燃料噴射を行うことで、燃料が吸気バルブや吸気ポート内に付着することを防ぐと共に、筒内での燃料気化を促進することができ、燃焼性を更に改善して燃費低減及び有害排ガスの低減効果を得られる。
【００４２】
（温態時）
また、暖機が完了した場合には、ステップＳ６で低負荷かどうかを判定して、低負荷状態であると判定した場合には、ステップＳ８に進んでＳＰＩ２９による燃料噴射を実施する。
この場合、ＭＰＩ２３の燃料噴射を制限するとともに、主にＳＰＩ２９による燃料噴射を行う。このとき、ＭＰＩ２３を禁止し、ＳＰＩ２９のみによる運転を行うことが好ましい。高燃料圧力化による微粒化促進、及びＳＰＩ２９だけにすることによって、サージタンク１５内に噴射される燃料は、サージタンク１５内での霧化および、サージタンク１５から燃焼室２７内に導入される区間がＭＰＩ２３から燃焼室２７までの距離より長いため、気化が促進されて、燃焼が良好に得られる。
【００４３】
ステップＳ６で、低負荷でないと判定した場合には、ステップＳ７に進んでＭＰＩ２３とＳＰＩ２９による燃料噴射を実施する。この場合は、ＭＰＩ２３の噴射が主体になる。
但し、ステップＳ１３では、ＳＰＩ２９だけでそのまま流量を上げると、ポート付着が大きくなり燃焼室２７へ供給される燃料量が不安定化するため、高負荷域では予め設定した閾値の流量ラインをＳＰＩ２９の噴射燃料の上限として、それ以上の燃料要求分はＭＰＩ２３によって噴射にする。この場合、ＭＰＩ２３はシリンダ直入形態とすることが可能であり、このように燃焼室２７への直入形態とすることで、図示しない吸気バルブや吸気ポートへの燃料の付着を防ぐと共に、気化潜熱により燃焼室２７内を冷却しノックを抑制することも可能となる。
【００４４】
また、既にＳＰＩ２９による噴射を行っていることから、必要燃料量に対してＭＰＩ２３の燃料負担分を小さくでき、ＭＰＩ２３の噴霧の幅と長さがコンパクトとなり、ポート形状の自由度が増し、併せてインジェクタの取り付け位置も自由度が増す。
【００４５】
（始動時）
次に、ステップＳ１で、始動時であると判定された場合は、ステップＳ９へ進む。
このステップＳ９では、本始動（冷態時の始動）の場合か、再始動（温態時の再始動）の場合かを判定する。冷却水温が閾値ｔｗ、例えば６０℃を超えるか否かによって判定される。
再始動時は直前までアイドルストップしているケースが大半であるため、ステップＳ２におけるは暖機完了の判定（エンジン出口の冷却水温度が約８０℃に達している場合には、暖機が完了したと判定）よりも、低い温度に設定して判定している。
【００４６】
再始動であると判定した場合には、ステップＳ１１に進んで、ＭＰＩ噴射によって再始動を行う。このとき、ＭＰＩ２３のみによって燃料噴射を行うことが好ましい。ＭＰＩ２３による噴射は、燃焼室２７の近接位置における燃料噴射であるため、燃焼室２７へ短時間で到達できるため、再始動性を向上することができる。アイドリングストップ車両に対しての再始動性を向上することができる。
【００４７】
ステップＳ９で本始動（冷態再始動）であると判定した場合には、ステップＳ１０に進んで、ＳＰＩ２９の噴射によって始動を行う。このとき、ＳＰＩ２９のみによって燃料噴射を行うことが好ましい。前述のステップＳ５における説明と同様に、ＳＰＩ２９だけにすることによって、サージタンク１５内に噴射される燃料は、サージタンク１５内での霧化および、サージタンク１５から燃焼室２７内に導入される区間がＭＰＩ２３から燃焼室２７までの距離より長いため、気化が促進されて、始動性が良好に得られる。
【００４８】
以上のように、本実施形態によれば、エンジン負荷及び冷却水温度に基づいて、冷態状態及び温態状態における負荷の大小に応じて、ＳＰＩ２９とＭＰＩ２３と、を使い分け、さらに噴射量割合までも制御することで、本始動性、再始動性、更に燃焼性を良好に達成して、低燃費化及び有害排ガスを低減できる。
【００４９】
（第２実施形態）
次に、図５を参照して、制御装置６１の他の例を示す第２実施形態を説明する。
第２実施形態は、第１実施形態に対して第１ポート閉塞弁（Ｖ１）３９ａと、第２ポート閉塞弁（Ｖ２）３９ｂとの開閉制御が加わったものである。
図５のフローチャートより、ステップＳ２１〜ステップＳ３３までは、第１実施形態のステップＳ１〜ステップＳ１３と同様であるため、同様のステップについては説明を省略し、異なるステップＳ４１〜Ｓ５０（図５のＡ部）について以下に説明する。
【００５０】
冷態時の中高負荷運転時には、ステップＳ２４で、ＭＰＩ２３による噴射とＳＰＩ２９による噴射とを行うと共に、次のステップＳ４１において、第１ポート閉塞弁３９ａと、第２ポート閉塞弁３９ｂとを共に開状態とする。
【００５１】
冷態時の低負荷運転時には、ステップＳ２５で、ＳＰＩ２９による噴射を行うと共に、つぎのステップＳ４２において、第１ポート閉塞弁３９ａを閉じて、第２ポート閉塞弁３９ｂは開状態とする。
【００５２】
このように、冷態低負荷時にＳＰＩ２９による噴射を行うと共に第１ポート閉塞弁３９ａを閉じることによって、第２吸気ポート１９ｂだけからの吸気されることで吸気流速を上げることができ、これにより点火プラグ５１の点火栓近傍のＡ／Ｆ（空燃比）の安定化を図ることができ（点火プラグ５１の点火栓のかぶりを防止して安定燃焼化）、冷態低負荷時の安定燃焼が達成できる。
【００５３】
温態時の中高負荷運転時には、ステップＳ２７で、ＭＰＩ２３による噴射とＳＰＩ２９による噴射とを行うと共に、次のステップＳ４３において、第１ポート閉塞弁３９ａと、第２ポート閉塞弁３９ｂと、を共に開状態とする。
【００５４】
温態時の低負荷運転時には、ステップ２８で、ＳＰＩ２９による噴射を行うと共に、つぎのステップＳ４４において、第１ポート閉塞弁３９ａと、第２ポート閉塞弁３９ｂとを共に開状態とする。
そして、ステップＳ４７で、空燃比センサ５５の検出信号を基に気筒間の空燃比のバラツキσを算出する。このσ（Ａ／Ｆ値）が設定した閾値σａより大きいか否かを判定して、大きい場合には、バラツキがあると判定して、ステップＳ４９に進む。
【００５５】
ステップＳ４９では、ＭＰＩ２３の噴射にてバラツキを補正する。この補正の際には、ステップＳ５０のように、第１ポート閉塞弁３９ａを開として、第２ポート閉塞弁３９ｂを閉として、ＭＰＩ２３側の第１吸気ポート１９ａだけに吸気を流すとともに、該第１吸気ポート１９ａ側に燃料噴射して、空気と燃料との混合を吸気ポート内で行わせるようにし、しかも、燃焼室２７へ短時間で到達できるため、空燃比の補正を迅速に行うことができる。
【００５６】
ステップＳ４７で、バラツキがないと判定した場合には、ステップＳ４８へ進み、第１ポート閉塞弁３９ａと、第２ポート閉塞弁３９ｂとを共に開状態とする。
【００５７】
次に、始動時の制御については、冷態時の始動時には、ステップＳ３０で、ＳＰＩ２９による噴射を行うと共に、次のステップＳ４５において、第１ポート閉塞弁３９ａを閉じて、第２ポート閉塞弁３９ｂは開状態とする。
【００５８】
このように、冷態始動時にＳＰＩ２９による噴射を行うと共に第１ポート閉塞弁３９ａを閉じることによって、第２吸気ポート１９ｂだけからの吸気されることで吸気流速を上げることができ、これにより点火プラグ５１の点火栓近傍のＡ／Ｆ（空燃比）の安定化を図ることができ（点火プラグ５１の点火栓のかぶりを防止して安定燃焼化）、冷態始動性を向上できる。
また、第１ポート閉塞弁３９ａを閉じることによって、クランキング前に吸気ポート内壁面に付着した燃料が燃焼室２７内へ投入されて、始動性が悪化することが防止される。
【００５９】
また、温態度の再始動時には、ステップＳ３１で、ＭＰＩ２３による噴射を行うと共に、次のステップＳ４６において、第１ポート閉塞弁３９ａを開いて、第２ポート閉塞弁３９ｂは閉状態とする。
【００６０】
このように、温態再始動時にＭＰＩ２３による噴射を行うと共に第２ポート閉塞弁３９ｂを閉じることによって、第１吸気ポート１９ａだけとして、吸気流速を上げて、これにより点火プラグ５１の点火栓近傍の空燃比を安定化させて、始動性が安定する。
さらに、第２ポート閉塞弁３９ｂを閉として、ＭＰＩ２３側の第１吸気ポート１９ａだけに吸気を流すとともに、該第１吸気ポート１９ａ側に燃料噴射して、空気と燃料との混合を吸気ポート内で行わせるようにし、しかも、燃焼室２７へ短時間で到達できるため、再始動を良好に行うことができる。
【００６１】
以上のように、第２実施形態では、ＭＰＩ２３とＳＰＩ２９との負担割合を調整するばかりでなく、第１ポート閉塞弁３９ａと第２ポート閉塞弁３９ｂとの開閉制御を併せて行うことで、本始動性、再始動性、更に燃焼性を一層良好に達成して、低燃費化及び有害排ガスをより低減できる。
【産業上の利用可能性】
【００６２】
本発明によれば、吸気ポートとサージタンクにそれぞれインジェクタを備えた燃料噴射システムにおいて、それぞれのインジェクタからの噴射燃料の微粒化を促進して、低燃費化及び燃焼促進による有害排ガス低減を達成できるので、車両等に搭載のエンジンへの利用に適している。
【符号の説明】
【００６３】
１  燃料噴射システム
３  エンジン
５  吸気通路
９  吸気温度センサ
１１エアーフローメータ
１３  スロットルバルブ
１５  サージタンク
１９  吸気ポート
１９ａ  第１吸気ポート
１９ｂ  第２吸気ポート
２３  吸気ポートインジェクタ（ＭＰＩ）
２７  燃焼室
２９  サージタンクインジェクタ（ＳＰＩ）
３９ａ  第１ポート閉塞弁
３９ｂ  第２ポート閉塞弁
５３  冷却水温センサ
５５  空燃比センサ
５７  排気通路
６１  制御装置
６３  ポート閉鎖弁制御部
６５  インジェクタ負担割合制御部
６７  燃料噴射制御部
６９  空燃比バラツキ判定部
７１  エンジン始動判定部
７３  エンジン状態判定部
【図１】
2015102026.tif 000003
【図２】
2015102026.tif 000004
【図３】
2015102026.tif 000005
【図４】
2015102026.tif 000006
【図５】
2015102026.tif 000007